【手続補正書】
【提出日】平成16年6月11日(2004.6.11)
【手続補正１】
【補正対象書類名】明細書
【補正対象項目名】発明の名称
【補正方法】変更
【補正の内容】
【発明の名称】インクジェット記録方法、記録装置およびコンピュータ可読記憶媒体
【手続補正２】
【補正対象書類名】明細書
【補正対象項目名】特許請求の範囲
【補正方法】変更
【補正の内容】
【特許請求の範囲】
【請求項１】
黒色の顔料を含む黒色インクと、少なくともシアン、マゼンタ、イエローの染料を含むカラーインクを用意し、記録媒体上に画像を記録するインクジェット記録方法であって、
基材の片面にインク受容層を有し、前記インク受容層が設けられている面の反対側から観察する記録媒体に記録を行う場合、
前記記録媒体上にモノクロ画像と複数色のカラー画像のいずれの記録をしようとするときにも、前記黒色インクを使用することなく前記カラーインクのみを用いて記録することを特徴とするインクジェット記録方法。
【請求項２】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置であって、
基材の片面にインク受容層を有し、前記インク受容層が設けられている面の反対側から観察する記録媒体に記録を行うモードが指定された場合、
前記記録媒体上にモノクロ画像と複数色のカラー画像のいずれの記録をしようとするときにも、前記黒色インク用吐出部を使用することなく前記カラーインク用吐出部のみを用いて記録を行うことを特徴とするインクジェット記録装置。
【請求項３】
黒色の顔料を含む黒色インクと、少なくともシアン、マゼンタ、イエローの染料を含むカラーインクを用意し、記録媒体上に画像を記録するインクジェット記録方法であって、
インク受容層を設けた光透過性の記録媒体に記録を行う場合、前記黒色インクと前記カラーインクを併用して前記記録媒体上に最高濃度の黒色領域を記録する工程を有し、
前記記録工程では、前記最高濃度の黒色領域の面積の３０％〜７０％が前記黒色インクで形成されるように記録を行うことを特徴とするインクジェット記録方法。
【請求項４】
前記最高濃度の黒色領域の面積の４０％〜６０％を前記黒色インクで形成することを特徴とする請求項３記載のインクジェット記録方法。
【請求項５】
前記最高濃度の黒色領域の面積の略５０％を前記黒色インクで形成することを特徴とする請求項３記載のインクジェット記録方法。
【請求項６】
前記インク受容層を設けた光透過性の記録媒体は、ＯＨＰ用用シートであることを特徴とする請求項３乃至５のいずれかに記載のインクジェット記録方法。
【請求項７】
黒色の顔料を含む黒色インクと、少なくともシアン、マゼンタ、イエローの染料を含むカラーインクを用意し、記録媒体上に画像を記録するインクジェット記録方法であって、
インク受容層を設けた光透過性の記録媒体に記録を行う場合、前記黒色インクと前記カラーインクを併用して前記記録媒体上の黒色領域を記録することを特徴とするインクジェット記録方法。
【請求項８】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置であって、
インク受容層を設けた光透過性の記録媒体に記録を行うモードが指定された場合、前記黒色インク用吐出部と前記カラーインク用吐出部を併用して前記記録媒体上の最高濃度の黒色領域を記録し且つ当該最高濃度の黒色領域の面積の３０％〜７０％を前記黒色インクで形成するように記録を行うことを特徴とするインクジェット記録装置。
【請求項９】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置であって、
インク受容層を設けた光透過性の記録媒体に記録を行うモードが指定された場合、前記黒色インク用吐出部と前記カラーインク用吐出部を併用して前記記録媒体上の黒色領域を記録することを特徴とするインクジェット記録装置。
【請求項１０】
黒色の顔料を含む黒色インクと、少なくともシアン、マゼンタ、イエローの染料を含むカラーインクを用意し、記録媒体上に画像を記録するインクジェット記録方法であって、
ハガキにカラー画像を記録する場合、前記黒色インクと前記カラーインクを併用して前記カラー画像中の黒色領域を記録する工程を有し、
前記記録工程では、前記黒色領域の面積の４０％以上９０％未満を前記黒色インクで形成することを特徴とするインクジェット記録方法。
【請求項１１】
前記ハガキにモノクロ画像を記録しようとするときは、前記カラーインクを使用することなく前記黒色インクのみを用い、且つ前記黒色インクによる記録ドットを間引いて記録することを特徴とする請求項１０記載のインクジェット記録方法。
【請求項１２】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置であって、
ハガキにカラー画像を記録するモードが指定された場合、前記黒色インク用吐出部と前記カラーインク用吐出部を併用して前記カラー画像中の黒色領域を記録し且つ当該黒色領域の面積の４０％以上９０％未満を前記黒色インクで形成するように記録を行うことを特徴とするインクジェット記録装置。
【請求項１３】
黒色の顔料を含む黒色インクと、少なくともシアン、マゼンタ、イエローの染料を含むカラーインクを用意し、記録媒体上に画像を記録するインクジェット記録方法であって、
不透明基材とインク受容層を有する記録媒体に記録を行う場合、
前記記録媒体上にモノクロ画像を記録しようとするときは、前記カラーインクを使用することなく前記黒色インクのみを用い、
前記記録媒体上に複数色のカラー画像を記録しようとするときは、前記黒色インクを使用することなく前記カラーインクのみを用いることを特徴とするインクジェット記録方法。
【請求項１４】
黒色の顔料を含む黒色インクと、少なくともシアン、マゼンタ、イエローの染料を含むカラーインクを用意し、記録媒体上に画像を記録するインクジェット記録方法であって、
表面が光沢を有する記録媒体に記録を行う場合、
前記記録媒体上にモノクロ画像を記録しようとするときは、前記カラーインクを使用することなく前記黒色インクのみを用い、
前記記録媒体上に複数色のカラー画像を記録しようとするときは、前記黒色インクを使用することなく前記カラーインクのみを用いて記録を行うことを特徴とするインクジェット記録方法。
【請求項１５】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置であって、
表面が光沢を有する記録媒体に記録を行うモード、あるいは不透明基材とインク受容層を有する記録媒体に記録を行うモードが指定された場合、
前記記録媒体上にモノクロ画像を記録しようとするときは、前記カラーインク用吐出部を使用することなく前記黒色インク用吐出部のみを用いて記録を行い、
前記記録媒体上に複数色のカラー画像を記録しようとするときは、前記黒色インク用吐出部を使用することなく前記カラーインク用吐出部のみを用いて記録を行うことを特徴とするインクジェット記録装置。
【請求項１６】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置であって、
（ａ）基材上にインク受容層を有し、前記インク受容層の表面が光沢を有する記録媒体に記録を行うモードが指定された場合、
前記光沢を有する記録媒体上にモノクロ画像を記録しようとするときは、前記カラーインク用吐出部を使用することなく前記黒色インク用吐出部のみを用いて記録を行い、
前記光沢を有する記録媒体上に複数色のカラー画像を記録しようとするときは、前記黒色インク用吐出部を使用することなく前記カラーインク用吐出部のみを用いて記録を行い、
（ｂ）ＯＨＰ用シートに記録を行うモードが指定された場合、
前記ＯＨＰ用シートにモノクロ画像と複数色のカラー画像のいずれの記録をしようとするときにも、前記黒色インク用吐出部と前記カラーインク用吐出部を併用して記録を行い、
（ｃ）ハガキに記録を行うモードが指定された場合、
前記ハガキにモノクロ画像を記録しようとするときは、前記カラーインク用吐出部を使用することなく前記黒色インク用吐出部のみを用いて記録を行い、前記ハガキに複数色のカラー画像を記録しようとするときは、前記黒色インク用吐出部と前記カラーインク用吐出部を併用して記録を行い、
（ｄ）基材の片面にインク受容層を有し、前記インク受容層が設けられている面の反対側から観察する媒体に記録を行うモードが指定された場合、
前記インク受容層が設けられている面の反対側から観察する記録媒体上に、モノクロ画像とカラー画像のいずれの記録をしようとするときにも、前記黒色インク用吐出部を使用することなく前記カラーインク用吐出部のみを用いて記録を行うことを特徴とするインクジェット記録装置。
【請求項１７】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置の記録制御処理を実行するプログラムコードが格納されたコンピュータ可読記憶媒体であって、
前記記録媒体が基材の片面にインク受容層を有し、前記インク受容層が設けられている面の反対側から観察する記録媒体である場合、前記記録媒体上にモノクロ画像と複数色のカラー画像のいずれの記録をしようとするときにも、前記黒色インクを使用することなく前記カラーインクのみを用いて記録するように制御する工程のコードを有することを特徴とするコンピュータ可読記憶媒体。
【請求項１８】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置の記録制御処理を実行するプログラムコードが格納されたコンピュータ可読記憶媒体であって、
インク受容層を設けた光透過性の記録媒体に記録を行う場合、前記黒色インクと前記カラーインクを併用して前記記録媒体上の黒色領域を記録するように制御する工程のコードを有することを特徴とするコンピュータ可読記憶媒体。
【請求項１９】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置の記録制御処理を実行するプログラムコードが格納されたコンピュータ可読記憶媒体であって、
ハガキにカラー画像を記録する場合、前記黒色インクと前記カラーインクを併用して前記カラー画像中の黒色領域を記録し且つ当該黒色領域の面積の４０％以上９０％未満を前記黒色インクで記録するように制御する工程のコードとを有することを特徴とするコンピュータ可読記憶媒体。
【請求項２０】
黒色の顔料を含む黒色インクを吐出する吐出部と、少なくともシアン、マゼンタ、イエローの染料を含むカラーインクを吐出する各吐出部を記録媒体に対して相対的に走査して、記録媒体上に画像を記録するインクジェット記録装置の記録制御処理を実行するプログラムコードが格納されたコンピュータ可読記憶媒体であって、
不透明基材上にインク受容層を有する記録媒体に記録を行う場合、前記記録媒体上にモノクロ画像を記録しようとするときは、前記カラーインクを使用することなく前記黒色インクのみを用いて記録し、且つ前記記録媒体上に複数色のカラー画像を記録しようとするときは、前記黒色インクを使用することなく前記カラーインクのみを用いて記録するように制御する工程のコード、を有することを特徴とするコンピュータ可読記憶媒体。